(57)【特許請求の範囲】
【請求項１】
樹脂の非発泡体を主材料とする陸上用スパイクシューズの硬質靴底であって、
少なくとも踏付部から踏まず部にわたって足の底面を支持する板状の靴底本体部と、該靴底本体部の裏面に設けた補強リヴとを備え、
前記靴底本体部の裏面における足の中足趾節関節の前後にわたって、靴底の前後方向への屈曲を抑制する前リヴ群および後リヴ群を設け、
前記後リヴ群は、着地時に足の踵が落ち込む方向に靴底が屈曲するのを防止するように、前記中足趾節関節の位置から後方に向って延びており、
前記前リヴ群は、前記中足趾節関節と趾節関節との間の前記靴底の前後方向への屈曲を防止するように、前記中足趾節関節から趾節関節まで延びており、
前記靴底は、前記前後方向への屈曲に対する単位幅当たりの平均曲げ剛性が、前記前リヴ群が設けられていることによって、前記趾節関節の前方の部分よりも前記２種類の関節の間の部分の方が大きな値に設定されている陸上用スパイクシューズの硬質靴底。
【請求項２】
請求項１において、
前記中足趾節関節のうち第１中足趾節関節付近を通って前後方向に長く形成された第１補強リヴと、
前記中足趾節関節のうち第５中足趾節関節付近を通って前後方向に長く形成された第２補強リヴとを備え、
これらの第１および第２補強リヴが前記前リヴ群および後リヴ群の少なくとも一部を構成している陸上用スパイクシューズの硬質靴底。
【請求項３】
請求項２において、
前記第１および第２補強リヴは、高さを有しており、前記中足趾節関節の付近において最も高さが高くなるように形成されている陸上用スパイクシューズの硬質靴底。
【請求項４】
請求項３において、
前記第１および第２補強リヴは、幅を有しており、前記中足趾節関節の付近において最も幅が広くなるように形成されている陸上用スパイクシューズの硬質靴底。
【請求項５】
請求項４において、
前記第１および第２補強リヴは、それぞれ、前記靴底の前後方向への屈曲に対する断面係数を有しており、前記中足趾節関節の付近から後方に遠ざかるに従い前記断面係数が概ね徐々に小さくなるように形成され、かつ、前記中足趾節関節の付近から前方に遠ざかるに従い前記断面係数が概ね徐々に小さくなるように形成されている陸上用スパイクシューズの硬質靴底。
【請求項６】
請求項１において、
前記靴底本体部には、足の内側の踏まず部に沿って巻き上がる巻上部が一体に形成され、前記巻上部には前記後リヴ群に連なる第３補強リヴを有する陸上用スパイクシューズの硬質靴底
【発明の詳細な説明】
【０００１】
【発明のバックグラウンド】
発明の分野：
本発明は、陸上競技の短距離種目や助走に際し、瞬発的なスピードを要求される走り幅跳び等の種目に用いられる陸上用スパイクシューズの硬質靴底に関するものである。
従来技術の説明：
トラック競技において疾走する際には、足の踵が着地しないようにして、前傾姿勢を保ち、瞬発的なスピードを高めている。このような観点から、靴底の裏面に補強リヴを設けた硬質靴底が種々開発されている。その一例を図６（ａ）に示す。
【０００２】
図６（ａ）は特開平８−３３６４０３号に開示された硬質靴底の縦断面図である。
この図に示すように、硬質靴底２００の踏まず部２０１には、補強リヴ２０２が一体に成形されている。この補強リヴ２０２は、踏まず部２０１を補強して、該踏まず部２０１が湾曲しないようにすることで、着地時に足の踵の落ち込み防止を図っている。
【０００３】
しかし、以下に説明するように、前記従来技術では踵の落ち込みを十分に防止し得ない。
図６（ｂ）は、前記従来技術において、踵が落ち込む様子を示す模式図である。この図においては、着地後に荷重Ｗ１が加わる直前の硬質靴底２００の状態を実線で示しており、一方、着地後に荷重Ｗ１が加わった直後の硬質靴底２００の状態を二点鎖線で示している。
点Ｏのまわりの踏付部２０３と踏まず部２０１とがなす角θ１は、荷重Ｗ１が負荷される前後において、略同じ値となる。
踏まず部２０１が完全な剛体であると仮定し、今、荷重Ｗ１が踏まず部２０１に作用すると、前記角θ１が変化しないので、踏付部２０３が二点鎖線で示すように、上向きに凸となるように湾曲する。そのため、踏まず部２０１が全く屈曲しないにもかかわらず、後端２０４が下方に下がって、踵の落ち込みを招く。
【０００４】
また、実開平６−２４５０５号に記載された靴底も、踏まず部に補強リヴを設けているが、前記特開平８−３３６４０３号と同様に、踵の落ち込みを十分に防止し得ない。
【０００５】
一方、実公昭５２−５０９１７号の靴底は、踏付部に補強リヴを設けている。しかし、この従来技術は踏まず部に補強リヴを設けていないので、踵の落ち込みを殆ど防止し得ない。また、踏付部全体に均等に補強リヴを設けているので、足の趾節関節のスムースな曲がりが妨げられるから、これがスピードの低下する要因となる。
【０００６】
【発明の概要】
したがって、本発明の目的は、陸上用スパイクシューズの硬質靴底において、前傾姿勢を保ち易くするために、踵の落ち込みを防止すると共に、スムースな足指の屈曲を許容することである。
【０００７】
【課題を解決するための手段】
前記目的を達成するために、本発明は、樹脂の非発泡体を主材料とする陸上用スパイクシューズの硬質靴底であって、少なくとも踏付部から踏まず部にわたって足の底面を支持する板状の靴底本体部と、該靴底本体部の裏面に設けた補強リヴとを備え、前記靴底本体部の裏面における足の中足趾節関節の前後にわたって、靴底の前後方向への屈曲を抑制する前リヴ群および後リヴ群を設けている。
前記後リヴ群は、着地時に足の踵が落ち込む方向に靴底が屈曲するのを防止するように、前記中足趾節関節の位置から後方に向って延びている。
前記前リヴ群は、前記中足趾節関節と趾節関節との間の前記靴底の前後方向への屈曲を防止するように、前記中足趾節関節から趾節関節まで延びている。
前記靴底は、前後方向への屈曲に対する単位幅当たりの平均曲げ剛性が、前記前リヴ群によって、前記趾節関節の前方の部分よりも前記２種類の関節の間の部分の方が大きな値に設定されている。
【０００８】
本発明において、「靴底の前後方向への屈曲」とは、靴底の長手方向に対し横方向に沿った水平軸線を中心にして靴底が屈曲することを意味し、かかる屈曲は、通常、着地から離地の間に足が自然に屈曲するのに伴って生じる。
また、本発明において、「リヴ群」とは、複数本のリヴやハニカム状に形成されたリヴなどを意味する。
「単位幅当たりの平均曲げ剛性」とは、前記前後方向に対する靴底の曲げ剛性を当該曲げ剛性を呈した部分の靴底の幅で除した値をいう。
なお、陸上用スパイクには、一般に、スパイクを取り付けるための座（スパイク装着部）や、商標を表示するための凸部があるが、これらの座や凸部にリヴが交差する場合も本発明に含まれる。
【０００９】
【発明の効果】
本発明によれば、着地後に踵が落ち込もうとすると、後リヴ群により踏まず部の屈曲が抑制され、一方、前リブ群により踏付部の湾曲が抑制される。そのため、踵の落ち込みを十分に防止することができる。
また、前リヴ群は前記２種類の関節の間を補強しており、趾節関節よりも前方の部分については曲げ剛性が小さく設定されている。そのため、趾節関節およびその前方においては足の指が屈曲し易いから、足指のスムースな屈曲を許容することができる。
【００１０】
本発明の好ましい実施例においては、前記中足趾節関節のうち第１中足趾節関節付近を通って前後方向に長く形成された第１補強リヴと、前記中足趾節関節のうち第５中足趾節関節付近を通って前後方向に長く形成された第２補強リヴとを設け、これらの第１および第２補強リヴが前記前リヴ群および後リヴ群の少なくとも一部を構成しているのが好ましい。
このように左右に補強リヴを設けることにより、靴底が足の左右においてバランス良く前後方向に屈曲する。
【００１１】
本発明の更に好適な実施例においては、前記中足趾節関節の付近から後方に遠ざかるに従い前記第１および第２補強リヴの断面係数が概ね徐々に小さくなるように設定する。一方、前記中足趾節関節の付近から前方に遠ざかるに従い前記断面係数が概ね徐々に小さくなるように設定する。
このように断面係数の変化を設定することにより、踵の落ち込み防止効果を増大させることができると共に、軽量化と足指のスムースな屈曲を図ることができる。
【００１２】
なお、「断面係数が概ね徐々に小さく」とは、補強リヴに意匠用の溝や凸部を設けたために断面係数の変化が若干不連続になったり、あるいは、断面係数が逆に若干大きくなったりすることを含む意味である。
【００１３】
本発明の別の好適な実施例においては、前記靴底本体部に、足の内側の踏まず部に沿って巻き上がる巻上部を一体に形成し、前記巻上部には前記後リヴ群に連なる第３補強リヴを設けるのが好ましい。
このように第３補強リヴを設けることにより、接地後の回内動作を抑制でき、これによって、進行方向に真っ直ぐに蹴り出すことが可能となって、パワーロスを抑制することができる。しかも、リヴを底面から側面に連続させることによって巻上部を補強したので、シューズが差程重くならない。
【００１４】
【実施例の説明】
本発明は、添付の図面を参考にした以下の好適な実施例の説明からより明瞭に理解されるであろう。しかしながら、実施例および図面は単なる図示および説明のためのものである。本発明の範囲は請求の範囲に基づいて定めなければならない。添付図面において、複数の図面における同一の部品番号は、同一または相当部分を示す。
【００１５】
以下、本発明の一実施例を図面にしたがって説明する。
まず、実施例の説明に先立って、足の骨格について簡単に説明する。
図５（ａ）に示すように、足の骨格は、アーチＦａの前方に、中足趾節関節ＭＰおよび趾節関節Ｆを備えている。図５（ｂ）に示すように、前記中足趾節関節ＭＰおよび趾節関節Ｆは、それぞれ、５本の指に存在する。前記中足趾節関節ＭＰのうち、第１中足趾節関節ＭＰ1 は母趾球に対応する位置に存在する。一方、中足趾節関節ＭＰのうち、第５中足趾節関節ＭＰ5 は小趾球に対応する位置に存在する。走行時においては、図５（ａ）の前記中足趾節関節ＭＰを中心として足が矢印Ｂのように回転して屈曲し、かつ、前記趾節関節Ｆにおいて足が若干屈曲し、更に、図５（ｂ）の趾節関節Ｆの前方の小さな関節Ｆｓにおいて足が小さく屈曲する。
【００１６】
図１（ａ）に示す硬質靴底１は、たとえばポリアミドなどの熱可塑性樹脂の非発泡体により一体に成形されている。本硬質靴底１の上方Ｕには、足の甲を包むのに適したアッパー（図示せず）が固着される。図１（ｂ）に示すように、前記硬質靴底１は、靴底本体部２、補強リヴ３１，３２，３３，３３Ａおよびスパイク装着部４１，４２，４３が一体に成形されてなる。
【００１７】
前記靴底本体部２は、踏付部２２から踏まず部２３および踵部２４にわたって設けられ、足の底面を支持する。前記靴底本体部２の裏面には、前記補強リヴ３１，３２，３３，３３Ａおよびスパイク装着部４１，４２，４３が一体に成形されている。
なお、靴底本体部２の内側１１および外側１０には、それぞれ図１（ａ）および図２（ａ）に示すように、足の側面に沿って巻き上がった巻上げ部２５が一体に成形されている。
【００１８】
前記スパイク装着部４１，４２，４３のうち、第１スパイク装着部４１は、第１中足趾節関節ＭＰ1 （図５（ｂ））に相当する位置に設けられ、一方、第２スパイク装着部４２は、第５中足趾節関節ＭＰ5 （図５（ｂ））に相当する位置に設けられている。その他のスパイク装着部４３は、前記中足趾節関節ＭＰよりも前方Ｂの部分に設けられている。
なお、各第１スパイク装着部４１，４２，４３には、金属製などのスパイクが固定される。
【００１９】
前記補強リヴ３１，３２，３３，３３Ａのうち、第１補強リヴ３１は、前記第１スパイク装着部４１を介して、前記第１中足趾節関節ＭＰ1 の前後に連なるように前後方向に長く形成されている。一方、前記補強リヴ３１，３２，３３，３３Ａのうち、第２補強リヴ３２は、前記第２スパイク装着部４２を介して、前記第５中足趾節関節ＭＰ5 の前後に連なるように、前後方向に長く形成されている。本実施例では、前記第１および第２補強リヴ３１，３２は、ともに、硬質靴底１の前端の近傍から後端まで形成されている。なお、その他の補強リヴ３３，３３Ａも硬質靴底１の前後方向に長く形成されている。前記内側１１の巻上部２５には前記第１補強リブ３１に連なる第３補強リヴ３３Ａが一体に形成されて、この巻上部２５を補強している。
【００２０】
前記各補強リヴ３１，３２，３３，３３Ａは、図３（ａ）に示すように、断面形状が概ね半球状に形成されている。なお、各補強リヴ３１，３２，３３，３３Ａには、図３（ｂ）に示すような意匠用の溝３４を設けてもよい。また、各補強リヴ３１…には、図３（ｃ）に示すように、靴底本体部２の上面側に凹溝２ａを設けてもよい。
【００２１】
図１（ｂ）に示すように、前記第１補強リヴ３１は、概ね、第１スパイク装着部４１の付近において、つまり、第１中足趾節関節ＭＰ1 の付近において幅Ｗ（図３（ａ）が最も広く、第１スパイク装着部４１から前方および後方に遠ざかるに従い幅が狭くなる。また、前記第２補強リヴ３２は、概ね第２スパイク装着部４２の付近において、つまり、第５中足趾節関節ＭＰ5 の付近において幅Ｗ（図３（ａ））が最も広く形成されており、第２スパイク装着部４２から前方および後方に遠ざかるに従い幅が狭くなる。
【００２２】
図２（ｂ）に示すように、前記第２補強リヴ３２は概ね第２スパイク装着部４２の付近において、つまり、第５中足趾節関節ＭＰ5 の付近において高さＨ（図３（ａ））が最も高くなっており、第２スパイク装着部４２から前方および後方に遠ざかるに従い高さが低くなる。
なお、図１（ｂ）の第１補強リヴ３１も、前記第２補強リヴ３２と同様に、概ね、第１スパイク装着部４１の付近において、つまり、第１中足趾節関節ＭＰ1 の付近において高さＨ（図３（ａ））が最も高くなっており、第１スパイク装着部４１から前方および後方に遠ざかるに従い高さが低くなる。
【００２３】
第１および第２補強リヴ３１，３２は、前述のように形成されていることで、中足趾節関節ＭＰの付近から後方に遠ざかるに従い、その断面係数が概ね徐々に小さくなっており、また、中足趾節関節ＭＰの付近から前方に遠ざかるに従い、その断面係数が概ね徐々に小さくなっている。
【００２４】
前記各補強リヴ３１，３２，３３，３３Ａは、中足趾節関節ＭＰよりも前方の部分が前リヴ群３Ｆを構成しており、一方、中足趾節関節ＭＰよりも後方の部分が後リヴ群３Ｂを構成している。
【００２５】
前記後リヴ群３Ｂは、硬質靴底１の前後方向への屈曲を抑制して、図４に示す着地時に荷重Ｗ１が加わった際に、踵部２４が下方へ落ち込むのを防止する。一方、前記前リヴ群３Ｆ（図１（ｂ）は、図５（ａ）の前記趾節関節Ｆと中足趾節関節ＭＰとの間で、硬質靴底１の踏付部２２が図６（ｂ）の二点鎖線のように湾曲するのを抑制する。
【００２６】
前述のように、前記前リヴ群３Ｆが形成されていることにより、前後方向Ｂの単位幅（左右方向の幅）当たりの曲げ剛性は、図４の前記趾節関節Ｆの前方の部分１５よりも前記２種類の関節Ｆ，ＭＰの間の部分１６の方が大きな値に設定されている。すなわち、前記前方１５の部分は屈曲し易く、一方、前記部分１６は屈曲しにくくなっている。
【００２７】
このように形成されていることで、硬質靴底１が関節Ｆ，ＭＰの間の部分１６において湾曲しにくいから、着地後に荷重Ｗ１が加わった際に、点Ｏにおいて硬質靴底１が変形しにくくなるので踵部２４が落ち込むのを防止し得る。一方、疾走時には、硬質靴底１が図５（ａ），（ｂ）の趾節関節Ｆや、趾節関節Ｆの前方の小さな関節Ｆｓの動きに伴ってスムースに屈曲するから、走り易さが損なわれない。
【００２８】
以上のとおり、図面を参照しながら好適な実施形態を説明したが、当業者であれば、本明細書を見て、自明な範囲で種々の変更および修正を容易に想定するであろう。
たとえば、硬質靴底は熱可塑性樹脂の非発泡体を主材料とすればよく、たとえば金属網や強化繊維などで補強してもよい。
また、補強リヴの断面形状としては矩形にしてもよい。
また、補強リヴは靴底本体部とは別の素材を埋め込んだり、あるいは、靴底本体部２よりもヤング率の大きな材料で靴底本体部と一体に形成してもよい。
したがって、そのような変更および修正は、請求の範囲から定まる本発明の範囲内のものと解釈される。
【図面の簡単な説明】
【図１】図１（ａ）は本発明の一実施例を示す硬質靴底を内側から見た側面図、図１（ｂ）は硬質靴底の底面図である。
【図２】図２（ａ）は硬質靴底を外側から見た側面図、図２（ｂ）は図１（ｂ）のIIｂ−IIｂ線断面図である。
【図３】図３（ａ）、図３（ｂ）および図３（ｃ）は、それぞれ、補強リヴの横断面図である。
【図４】図４は硬質靴底に荷重が加わった際の様子を示す断面図である。
【図５】図５（ａ）は足の骨格を示す側面図、図５（ｂ）は足の骨格を示す平面図である。
【図６】図６（ａ）は従来の硬質靴底を示す断面図、図６（ｂ）は同硬質靴底の変形の様子を示す模式図である。
【符号の説明】
１：硬質靴底
２：靴底本体部
３Ｆ：前リヴ群
３Ｂ：後リヴ群
２２：踏付部
２３：踏まず部
３１：第１補強リヴ
３２：第２補強リヴ
３３：第３補強リヴ
Ｆ：趾節関節
ＭＰ：中足趾節関節
【図１】
0003795301.tif 000002
【図２】
0003795301.tif 000003
【図３】
0003795301.tif 000004
【図４】
0003795301.tif 000005
【図５】
0003795301.tif 000006
【図６】
0003795301.tif 000007